(57)【要約】【課題】  ガラス窓の内部と外部が完全に遮断して密閉性を高めることができ、ブラインドの昇降とスラットの角度調整を一つの操作系統で可能にした複層ガラス内蔵ブラインドを提供する。【解決手段】  複層ガラスの内部に密閉して設置され、駆動ローラ１０に巻回された昇降ベルト２ａ，２ｂによりブラインド１が昇降するブラインド本体部と、前記複層ガラスの外部の前記駆動ローラの対向する位置に設置された駆動ダイヤル１３を有する外部駆動部とが備えられ、前記駆動ローラ１０と前記駆動ダイヤル１３には複数の磁石が取り付けられ、前記駆動ダイヤル１３から前記駆動ローラ１０へ駆動力の伝達は、前記駆動ダイヤル１３と前記駆動ローラ１０の磁石間の磁力により非接触で行われ、ブラインド１の昇降が行われる構成とした。【選択図】    図１
2007039968.tif 000002
【特許請求の範囲】
【請求項１】
複層ガラスの内部に密閉して設置され、駆動ローラに巻回された昇降ベルトによりブラインドが昇降するブラインド本体部と、
前記駆動ローラに対向し、前記複層ガラスのガラス板を介在して外部位置に設置された駆動ダイヤルを有する外部駆動部とが備えられ、
前記外部駆動部の駆動ダイヤルから前記ブラインド本体部の駆動ローラへ駆動力の伝達は非接触で行われ、駆動ローラの回動により前記ブラインドの昇降が行われることを特徴とする複層ガラス内蔵ブラインド。
【請求項２】
複層ガラスの内部に密閉して設置され、駆動ローラに巻回された昇降ベルトによりブラインドが昇降するブラインド本体部と、
前記駆動ローラに対向し、前記複層ガラスのガラス板を介在して外部位置に設置された駆動ダイヤルを有する外部駆動部とが備えられ、
前記ブラインド本体部は、複数のスラットを有するブラインドと、前記ブラインドを昇降させる昇降ベルトと、前記昇降ベルトをガイドする複数のガイドローラと、前記昇降ベルトを駆動する複数の磁石が取り付けられた駆動ローラと、前記スラットの傾斜角度を制御するラダーコードと、前記ラダーコードの上端部に設けられたスラット開閉部と、
が備えられ、
前記外部駆動部は、複数の磁石が取り付けられた駆動ダイヤルと、前記駆動ダイヤルに巻回された操作紐とからなり、
前記駆動ダイヤルを操作紐で回転させることにより、前記駆動ダイヤルの磁石が前記駆動ローラを回転させ、前記昇降ベルトを移動させて前記ブラインドを昇降させることを特徴とする複層ガラス内蔵ブラインド。
【請求項３】
複層ガラスの内部に密閉して設置され、駆動ローラに巻回された昇降ベルトによりブラインドが昇降するブラインド本体部と、
前記駆動ローラに対向し、前記複層ガラスのガラス板を介在して外部位置に設置された駆動ダイヤルを有する外部駆動部とが備えられ、
前記ブラインド本体部は、複数のスラットを有するブラインドと、
前記ブラインドを昇降させる昇降ベルトと、
前記昇降ベルトをガイドする複数のガイドローラと、
前記昇降ベルトを駆動する複数の磁石が取り付けられた駆動ローラと、
前記ブラインドのスラットを開閉させるラダーコードと、前記ラダーコードの上端部に設けられたスラット開閉部と、が備えられ、
前記外部駆動部は、複数の磁石が取り付けられた駆動ダイヤルと、前記駆動ダイヤルに巻回された操作紐とからなり、
前記駆動ダイヤルを操作紐で回転させると、前記駆動ダイヤルの磁石により前記駆動ローラが回転して前記昇降ベルトが移動すると共に前記ラダーコードが上下に移動し、前記スラットの傾斜角度が変更されスラットの開閉が制御されることを特徴とする複層ガラス内蔵ブラインド。
【請求項４】
複層ガラスの内部に密閉して設置され、駆動ローラに巻回された昇降ベルトによりブラインドが昇降するブラインド本体部と、
前記駆動ローラに対向し、前記複層ガラスのガラス板を介在して外部位置に設置された駆動ダイヤルを有する外部駆動部とが備えられ、
前記ブラインド本体部は、複数のスラットを有するブラインドと、
前記ブラインドを昇降させる昇降ベルトと、
前記昇降ベルトをガイドする複数のガイドローラと、
前記昇降ベルトを駆動する複数の磁石が取り付けられた駆動ローラと、
前記ブラインドのスラットを開閉させるラダーコードと、
前記ラダーコードの上端部に設けられたスラット開閉部と、が備えられ、
前記外部駆動部は、複数の磁石が取り付けられた駆動ダイヤルと、前記駆動ダイヤルに巻回された操作紐とからなり、
前記駆動ダイヤルを操作紐で回転させると、前記駆動ダイヤルの磁石により前記駆動ローラが回転して前記昇降ベルトが移動すると共に前記ラダーコードが上下に移動し、スラットの傾斜角度が変更され、前記ブラインドが昇降すると共に前記スラットを開閉させることを特徴とする複層ガラス内蔵ブラインド。
【発明の詳細な説明】
【技術分野】
【０００１】
本発明は、複層ガラスの内部に設置される複層ガラス内蔵ブラインドに関する。
【背景技術】
【０００２】
従来、建築物の窓において、断熱、防塵、防音効果の優れたものとして、二重ガラス窓があったが、この二重ガラス窓の内部に遮光のためブラインドを設置したいとの要求があり、この要求に対応するブラインドとして、特開昭６３−２６５０９６号公報に示すような二重ガラス窓内蔵ブラインドがあった。
【０００３】
この特開昭６３−２６５０９６号公報に示す二重ガラス窓内蔵ブラインドは、二重ガラス窓の上枠に取付けられたヘッドボックスと、前記ヘッドボックスに軸受けされた水平回転軸と、前記水平回転軸に固定された被動ギヤと、前記ヘッドボックスに軸受けされる駆動ギヤと、前記駆動ギヤを回転させる操作シャフトと、前記ヘッドボックスから垂下する昇降コードに吊り下げられたボトムレールと、前記昇降コードを自在にロックするコードストッパからなるブラインドであって、前記駆動ギヤに中空軸を設け、前記中空軸を前記ギヤボックスから前記二重ガラス窓の縦枠内に突出させ、前記中空軸に中空のユニバーサルジョイントを介して同じく中空の前記操作シャフトを接続し、前記中空シャフトの下端部に前記コードストッパを取付け、前記昇降コードをガイドロールを介して前記中空軸に引き入れ、ついで、前記ユニバーサルジョイント、前記操作シャフトの内部に順次通して前記コードストッパから引出し、前記操作シャフトを着脱自在にはめる振れ止めを前記縦枠内の内面に取付け、前記縦枠に開閉可能な蓋を形成したものである。
【特許文献１】特開昭６３−２６５０９６号公報第１頁
【特許文献２】特開２００４−＊１４３７５３号公報第１頁
【０００４】
特許文献２に記載される複層ガラスは、スペーサを介在して二枚のガラス板を貼り合わせて、密閉された内部空間内にブラインドを内蔵し、このブラインドを昇降するために複数のウオームギア等の歯車機構を配置し、ブラインド操作装置におけるチェーンを操作し、前記歯車機構を回転して、昇降コードを巻取り、巻き戻ししてブラインドを昇降させるものである。このような複雑な機構では円滑なブラインドの昇降ができない。
【発明の開示】
【発明が解決しようとする課題】
【０００５】
しかしながら、上述した特許文献１の二重ガラス窓内蔵ブラインドは、縦枠に操作装置の収納部を設けておき、ブラインドの昇降やスラットの角度調整などの操作が必要な場合には、扉を開けて操作装置を引き出して操作をする必要があり、手間がかかるという問題があった。また特許文献２の複層ガラス内蔵ブラインドでは両サイドに配置するウオームギアなどの歯車機構によってコスト高となっていた。
【０００６】
また、最近の建物においては、断熱、防塵、防音効果の高いものが要求されるようになり、そのため複層ガラスにおいては、ガラス窓の内部と外部が完全に遮断された密閉性の高いペアガラスなどが要求されており、縦枠に操作装置の収納部や扉を設けて開閉する構造では、密閉が保持できないという問題もあった。
【０００７】
さらに、この二重ガラス窓内蔵ブラインドにおいては、ブラインドを昇降させるコードの操作系統と、スラットの角度調整する水平回転軸を駆動するための操作系統と、２つの操作系統のメカニズムを必要とし、構造が複雑になるという問題もあった。
【０００８】
本発明は、上述した従来の問題に鑑みなされたもので、ガラス窓の内部と外部が完全に遮断して密閉性を高めることができ、ブラインドの昇降とスラットの角度調整を一つの操作系統で可能にした複層ガラス内蔵ブラインドを提供するものである。
【課題を解決するための手段】
【０００９】
本発明は、上記課題を解決するため、複層ガラスの内部に密閉して設置され、駆動ローラに巻回された昇降ベルトによりブラインドが昇降するブラインド本体部と、
前記駆動ローラに対向し、前記複層ガラスのガラス板を介在して外部位置に設置された駆動ダイヤルを有する外部駆動部とが備えられ、
ことを特徴とするものである。
【００１０】
また、本発明は、複層ガラスの内部に密閉して設置され、駆動ローラに巻回された昇降ベルトによりブラインドが昇降するブラインド本体部と、
前記駆動ローラに対向し、前記複層ガラスのガラス板を介在して外部位置に設置された駆動ダイヤルを有する外部駆動部とが備えられ、前記ブラインド本体部は、複数のスラットを有するブラインドと、前記ブラインドを昇降させる昇降ベルトと、前記昇降ベルトをガイドする複数のガイドローラと、前記昇降ベルトを駆動する複数の磁石が取り付けられた駆動ローラと、前記ブラインドのスラットを開閉させるラダーコードと、前記ラダーコードの上端部に設けられたスラット開閉部と、が備えられ、前記外部駆動部は、複数の磁石が取り付けられた駆動ダイヤルと、前記駆動ダイヤルに巻回された操作紐と、が備えられ、前記駆動ダイヤルを操作紐で回転させることにより、前記駆動ダイヤルの磁石が前記駆動ローラを回転させ、前記ブラインドが昇降することを特徴としている。
【００１１】
また、本発明は、複層ガラスの内部に密閉して設置され、駆動ローラに巻回された昇降ベルトによりブラインドが昇降するブラインド本体部と、
前記駆動ローラに対向し、前記複層ガラスのガラス板を介在して外部位置に設置された駆動ダイヤルを有する外部駆動部とが備えられ、前記ブラインド本体部は、複数のスラットを有するブラインドと、前記ブラインドを昇降させる昇降ベルトと、前記昇降ベルトをガイドする複数のガイドローラと、前記昇降ベルトを駆動する複数の磁石が取り付けられた駆動ローラと、前記ブラインドのスラットを開閉させるラダーコードと、前記ラダーコードの上端部に設けられたスラット開閉部と、が備えられ、前記外部駆動部は、複数の磁石が取り付けられた駆動ダイヤルと、前記駆動ダイヤルに巻回された操作紐と、が備えられ、前記駆動ダイヤルを操作紐で回転させると、前記駆動ダイヤルの磁石により前記駆動ローラが回転して前記昇降ベルトが移動すると共に前記ラダーコードが上下に移動し、前記スラットが開閉することを特徴としている。
【００１２】
さらに、本発明は、複層ガラスの内部に密閉して設置され、駆動ローラに巻回された昇降ベルトによりブラインドが昇降するブラインド本体部と、
前記駆動ローラに対向し、前記複層ガラスのガラス板を介在して外部位置に設置された駆動ダイヤルを有する外部駆動部とが備えられ、前記ブラインド本体部は、複数のスラットを有するブラインドと、前記ブラインドを昇降させる昇降ベルトと、前記昇降ベルトをガイドする複数のガイドローラと、前記昇降ベルトを駆動する複数の磁石が取り付けられた駆動ローラと、前記ブラインドのスラットを開閉させるラダーコードと、前記ラダーコードの上端部に設けられたスラット開閉部と、が備えられ、前記外部駆動部は、複数の磁石が取り付けられた駆動ダイヤルと、前記駆動ダイヤルに巻回された操作紐と、が備えられ、前記駆動ダイヤルを操作紐で回転させると、前記駆動ダイヤルの磁石により前記駆動ローラが回転して前記昇降ベルトが移動すると共に前記ラダーコードが上下に移動し、前記ブラインドが昇降すると共に前記スラットが開閉することを特徴とするものである。
【発明の効果】
【００１３】
本発明は上述のように、複層ガラス窓の内部に設置されたブラインドを昇降させる駆動ローラを、複層ガラスの内部に配置し、ガラス板を介在して前記駆動ローラに対向して配置した外部の駆動ダイヤルで非接触で駆動できるので、複層ガラスの内部と外部を完全に遮断することができ、複層ガラス窓の密閉性を高め、断熱、防音効果を高めることができるものである。    
【００１４】
また、本発明は、スラット開閉部によりブラインドを昇降させる昇降ベルトの動作のみで、スラットの開閉の角度調整を行うことができるので、従来ではブラインドの昇降動作とは別系統で必要であったスラットの開閉の操作系統が不要となるので、ブラインドの操作機構が簡素化されるものである。
【発明を実施するための最良の形態】
【００１５】
本発明に係る複層ガラス内蔵ブラインドの最良の形態について図面を参照して説明する。
図１は本発明に係る複層ガラス内蔵ブラインドの内部構成を示す正面図、図２は図１の複層ガラス内蔵ブラインドのＹ−Ｙ方向からの断面図、図３は図１の複層ガラス内蔵ブラインドのコード又はチェーン操作の実施例を示す正面図、図４は図１の複層ガラス内蔵ブラインドのスラット開閉部を示す斜視図、図５は図４のスラット開閉部の動作を示す説明図、図６は図１の駆動ダイヤルを手動操作による実施形態の説明図である。
【００１６】
本発明に係る複層ガラス内蔵ブラインドは、図１または図２に示すように、複層ガラスの内部に昇降ブラインドを取り付けられるもので、ブラインド１と、このブラインド１を昇降させる昇降ベルト２（昇降ベルト２ａ、ベルトサイド部２ｂ）と、ブラインド１のスラット３を開閉させるラダーコード４，４・・と、ラダーコード４，４・・の上端部に設けられたスラット開閉部２０と、前記昇降ベルト２ａ，２ｂをガイドする複数のガイドローラ５，６，７，８，９と、前記昇降ベルト２を駆動する駆動ローラ１０と、が密閉された複層ガラスの内部に設置されている。                
【００１７】
また、図２に示すように、複層ガラス内に配置する駆動ローラ１０はガラス板内面に固着したスペーサ３０の枠内に遊嵌されている。この駆動ローラ１０とガラス板１１で隔てられた外側の位置には、操作紐１２が巻回された駆動ダイヤル１３が回転可能に取り付けられている。この駆動ローラ１０には複数個の磁石１０ａが埋め込まれており、前記駆動ダイヤル１３の対向する位置にも複数個の磁石１３ａが埋め込まれ、前記駆動ダイヤル１３を駆動紐１２で回転させると、前記磁石の磁力により前記駆動ローラ１０が回転して昇降ベルト２が移動し、ブラインド１を昇降させるように構成されている。この駆動ダイヤル１３はガラス板の外側に固着した枠内に遊嵌してある。
【００１８】
ブラインド１は、多数の平行なスラット３が複数本のラダーコード４、４・・により吊り下げられたもので、これらラダーコード４、４・・はそれぞれ二重のラダーコード４ａ，４ｂから構成されており、後述するように、上端のスラット開閉部２０にスラット３を開閉動作可能に取り付けられている。また、このブラインド１の下端にはボトムレール１ａが取り付けられており、このボトムレール１ａの両端は昇降ベルトの留具１ｂ，１ｃで固定されているので、昇降ベルト２ａ、ベルトサイド部２ｂの昇降動作と共にブラインド１も昇降するようになっている。
【００１９】
このブラインド１を昇降させる昇降ベルト２は、内側にスリップ防止用の細かい凹凸が形成されたベルトが使用されており、複数のガイドローラ５，６，７，８，９と駆動ローラ１０に掛け渡されている。この昇降ベルト２はタイミングベルトのような多数の歯列を配置したものでもよい。そのため、この昇降ベルト２と内側で接する駆動ローラ１０とはスリップが発生せず、確実に駆動できるようになっている。そして、昇降ベルト２の外側は、後述するように、スラット開閉部２０との間に適度のスリップが発生するように滑らかに形成されている。この昇降ベルト２は、昇降ベルト２ａの３箇所にスラット開閉部２０が取り付けられており、両側サイド部の昇降ベルト２ａ，ベルトサイド部２ｂにはボトムレール１ａが留具１ｂ，１ｃで取り付けられている。
【００２０】
そして、例えば、昇降ベルト２が時計廻り方向（ブラインド１が上昇する方向）に移動する場合は、昇降ベルト２ａとベルトサイド部２ｂは一つにまとめられてガイドローラ５に巻回され、駆動ローラ１０に掛け渡されていて昇降ベルト２ａ、ベルトサイド部２ｂが２本になっている。ベルトが一緒に同ピッチで移動するものである。
【００２１】
このように構成された複層ガラス内蔵ブラインドＡは、操作部である駆動ダイヤル１３と駆動ローラ１０の駆動力の伝達が磁石による磁力で行われるので、駆動ダイヤル１３と駆動ローラ１０が非接触であり、駆動ダイヤル１３が取り付けられている外部とブランド１が装着されている複層ガラス板の内部が完全に隔絶され、複層ガラスの内部の密閉性を高めることができるものである。そのため、複層ガラスを使用する本来の目的である断熱性や防音性を高めることができるものである。
【００２２】
また、図６に示す複層ガラス内蔵ブラインドＢは、駆動ローラ１０′および駆動ダイヤル１３′を複層ガラス枠の中間部に取り付けたものである。このように構成された複層ガラス内蔵ブラインドは、駆動ダイヤル１３′を直接使用者の手で操作することができるので、後述するように、スラット３の開閉を直接駆動ダイヤル１３′の操作で行うことができる、いちいち操作紐１２を操作する必要がなく、使用勝手が向上するものである。この駆動ローラ１０′および駆動ダイヤル１３′の位置は複層ガラス内に配置したスペーサ３０の任意の位置に設置できるので、非常に便利である。
【００２３】
次に、このブラインド１のスラット３を開閉するスラット開閉部２０を図４乃至図５を参照して説明する。このスラット開閉部２０は、昇降ベルト２を挟み込む上部ガイド部材２２と下部ガイド部材２３からなるベルトガイド２１、およびガイドレール１４に固定されてラダーコード４をガイドするラダーガイド２４から構成されており、ラダーガイド２４には両側のラダーコード４ａ，４ｂをガイドするガイドローラ２５，２６が回転可能に取り付けられている。
【００２４】
昇降ベルト２を挟み込む上部ガイド部材２２と下部ガイド部材２３は合成樹脂材料から一体に形成されたもので、上部ガイド部材２２の肉厚部２２ａと下部ガイド部材２３の凹部２３ａの間に空間２７が形成され、この空間２７に昇降ベルト２を挟み込むものである。昇降ベルト２は上部ガイド部材２２の肉厚部２２ａに強く曲げられため、昇降ベルト２に強い張力が発生し、昇降ベルト２の上面と肉厚部２２ａの下面との間に走行に対する抵抗力が生じる。この抵抗力のため、昇降ベルト２が移動すると上部ガイド部材２２も一緒に移動し、一体の下部ガイド部材２３も移動するようになっている。しかしながら、後述するように、この抵抗力より停止力が強い下部ガイド部材２３にこの抵抗力より強い停止が作用した場合には、下部ガイド部材２３が停止するので、上部ガイド部材２２と昇降ベルト２の間でスリップが発生し、昇降ベルト２のみが移動するようになっている。
【００２５】
また、ラダーガイド２４は、合成樹脂材料から形成されたもので、ガイドレール１４に固定される基部の上に２枚のガイド板が形成されており、この２枚のガイド板２４ａ，２４ｂの間にガイドローラ２５，２６が回転可能に取り付けられたものである。この２枚のガイド板の間には基部を貫通して空間が形成され、この空間を通ってラダーコード４ａ，４ｂがガイドローラ２５，２６に案内され、このラダーコード４ａ，４ｂの端部がそれぞれの止め具２８，２9で、下部ガイド部材２３の側部２３ｂ，２３ｃに固定されている。そして、ラダーコード４ａ，４ｂはガイドローラ２５，２６を介してスラット３，３，３・・・の両側に接続されており、下端のボトムレール１ａに固定されている。
【００２６】
このように構成されたスラット開閉部２０の動作を説明する。まず図５（ａ）に示すように、操作紐１２（図１参照）を操作して駆動ダイヤル１３（図１参照）を回すことにより駆動ローラ１０（図１参照）を回転させ、昇降ベルト２が図中の左方向に移動した場合は、上部ガイド部材２２と下部ガイド部材２３も一緒に左方向に移動する。そのため、下部ガイド部材２３に固定されているラダーコード４ｂも矢印の方向へ移動する。すると、スラット３に接続されているラダーコード４ｂも上方向へ引っ張られるので、スラット３の一方の側（奥側）を引き上げる。そして、下部ガイド部材２３が矢印方向に移動すると、下部ガイド部材２３に固定されているラダーコード４ａを押すことになり、スラット３に接続されているラダーコード４ａを押し下げることになり、スラット３の他方の側（手前側）を引き下げる。
【００２７】
この状態より、さらに矢印方向に昇降ベルト２を移動させた場合は、ラダーコード４ａ，４ｂは動くことができなくなるので、ラダーコード４ａ，４ｂが固定されている下部ガイド部材２３も動くことができなくなり、下部ガイド部材２３と一体の上部ガイド部材２２も動くことができない。そのため、昇降ベルト２は上部ガイド部材２２の間でスリップを発生しながら移動するものである。  
【００２８】
また、図５（ｂ）に示すように、昇降ベルト２が図中の右方向に移動した場合は、上部ガイド部材２２と下部ガイド部材２３も一緒に右方向に移動する。そのため、下部ガイド部材２３に固定されているラダーコード４ａも矢印の方向へ移動する。すると、スラット３に接続されているラダーコード４ａも引っ張られるので、スラット３の一方の側（手前側）を引き上げる。そして、下部ガイド部材２３が矢印方向に移動すると、下部ガイド部材２３に固定されているラダーコード４ｂを押すことになり、スラット３に接続されているラダーコード４ｂを押し下げることになり、スラット３の他方の側（奥側）を引き下げる。
【００２９】
この状態より、さらに矢印方向に昇降ベルト２を移動させた場合は、ラダーコード４ａ，４ｂは動くことができなくなるので、ラダーコード４ａ，４ｂが固定されている下部ガイド部材２３も動くことができなくなり、下部ガイド部材２３と一体の上部ガイド部材２２も動くことができない。そのため、昇降ベルト２は上部ガイド部材２２の間でスリップを発生しながら移動するものである。  
【００３０】
上述のように構成されたスラット開閉部２０は、ブラインド１を昇降させる昇降ベルト２の動作のみで、スラット３の開閉の角度調整を行うことができるので、従来ではブラインド１の昇降動作とは別系統で必要であったスラット３の開閉の操作系統が不要となるので、ブラインドの操作機構が簡素化されるものである。
【００３１】
尚、本発明は上述した実施の形態に限定されるものではなく、特許請求の範囲内で様々の態様が可能なことは勿論である。例えば、形状、材料などは適宜選択できることは勿論である。
【図面の簡単な説明】
【００３２】
【図１】図１は本発明に係る複層ガラス内蔵ブラインドの内部構成を示す正面図である。
【図２】図１の複層ガラス内蔵ブラインドのＹ−Ｙ方向からの矢視断面図である。
【図３】図１の複層ガラス内蔵ブラインドのコード又はチェーン操作の実施例を示す正面図である。
【図４】図１の複層ガラス内蔵ブラインドのスラット開閉部を示す斜視図である。
【図５】図４のスラット開閉部の動作を示す説明図である。
【図６】本発明複層ガラス内蔵ブラインドの駆動ダイヤルを手動で操作する実施形態の説明図である。
【符号の説明】
【００３３】
１      ブラインド
１ａ    ボトムレール
２    昇降ベルト
２ａ  昇降ベルト
２ｂ  ベルトサイド部
３      スラット
４      ラダーコード
５      ガイドローラ
６      ガイドローラ
７      ガイドローラ
８      ガイドローラ
９      ガイドローラ
１０      駆動ローラ
１０ａ    磁石
１１      ガラス板
１２      操作紐
１３      駆動ダイヤル
１３ａ    磁石
１４      ガイドレール
２０      スラット開閉部
２１      ベルトガイド
２２      上部ガイド部材
２３      下部ガイド部材
２４      ラダーガイド
２４ａ    ラダーガイド板
２４ｂ    ラダーガイド板
２５      ガイドローラ
２６      ガイドローラ
２７      空間
２８      止め具
２９      止め具
３０      スペーサ
【図１】
2007039968.tif 000003
【図２】
2007039968.tif 000004
【図３】
2007039968.tif 000005
【図４】
2007039968.tif 000006
【図５】
2007039968.tif 000007
【図６】
2007039968.tif 000008